(57)【要約】【課題】部品点数を極力減らすこと。【解決手段】錠ケースに進退動自在に組み込まれた突出係合部材の係合受部に係合するように錠ケース内に固定軸を介して一つの仮施錠片を組み込み、一方、錠ケースの窓から内部に突出する内外の押圧片を選択的に受ける受板及び仮施錠片の摺接部を押圧する押圧板とをそれぞれ有する押圧作動片を仮施錠片の後方に配設し、さらに、一つの復帰バネの中央部を固定軸に巻装し、その一端部を仮施錠片の前方開口の縁に当接せさると共に、他端部を仮施錠片の後方開口を通過させて押圧作動片のバネ受部に圧接せさ、扉の閉戸時、押圧片が昇降動すると、該押圧片の動きに起因して上下動する押圧作動片と固定軸を支点に作動する仮施錠片が互いに協働して該仮施錠片の係止部が突出係合部材の係合受部に係脱することを特徴とする錠前の仮施錠・解錠装置。【選択図】  図６
2004218356.tif 000002
【特許請求の範囲】
【請求項１】
錠ケース４の枠状支持部材１３内に進退動自在に組み込まれた突出係合部材２０の係合受部２２に係止部３０が係合するように錠ケース４内に固定軸２６を介して一つの仮施錠片２５を組み込み、一方、錠ケース４の窓１２から内部に突出する内外の押圧片２４を選択的に受ける受板５３及び前記仮施錠片２５の摺接部３２を押圧する押圧板５２とをそれぞれ有する押圧作動片５０を仮施錠片２５の後方に配設し、さらに、一つの復帰バネ４０の中央部４１を固定軸２６に巻装し、その一端部４２を仮施錠片２５の前方開口３３の開口縁３４ａに当接せさると共に、他端部４３を仮施錠片２５の後方開口３５を通過させて前記押圧作動片５０のバネ受部に圧接せさ、扉１の閉戸時に於いて、一つの押圧片２４が昇降動すると、該押圧片２４の動きに起因して上下動する押圧作動片５０と固定軸２６を支点に回動する仮施錠片が互いに協働して該仮施錠片の係止部３０が突出係合部材２０の係合受部２２に係脱することを特徴とする錠前の仮施錠・解錠装置。
【請求項２】
請求項１に於いて、押圧作動片５０は、アーム板５１と、このアーム板の上端部に交差状態に固定された押圧板５２とから構成され、前記アーム板５１の下部に設けた受板５３に押圧板用の窓１２に係合する第１係合小突起５４を形成し、一方、前記押圧板５２に錠箱に形成した被係合部１６と係合する第２係合小突起５５を形成したことを特徴とする錠前の仮施錠・解錠装置。
【請求項３】
錠ケース４の枠状支持部材１３内に進退動自在に組み込まれた突出係合部材２０の係合受部２２に係止部３０が係合するように錠ケース４内に固定軸２６を介して一つの仮施錠片２５Ａを組み込み、一方、錠ケース４の窓１２から内部に突出する内外の押圧片２４を選択的に受ける受板５３及び前記仮施錠片２５Ａの摺接部３２Ａを押圧する押圧板５２とをそれぞれ有する押圧作動片５０Ａを仮施錠片２５Ａの後方に配設し、さらに、一つの復帰バネ４０の中央部４１を固定軸２６に巻装し、その一端部４２を仮施錠片２５Ａの前方開口３３の開口縁３４ａに当接せさると共に、他端部４３を仮施錠片２５Ａの後方開口３５を通過させて前記押圧作動片５０Ａのバネ受部に圧接せさ、扉１の閉戸時に於いて、一つの押圧片２４が昇降動すると、該押圧片２４の動きに起因して上下動する押圧作動片５０Ａと固定軸２６を基準に上下動する仮施錠片２５Ａが互いに協働して該仮施錠片の係止部３０が突出係合部材２０の係合受部２２に係脱することを特徴とする錠前の仮施錠・解錠装置。
【請求項４】
請求項３に於いて、仮施錠片２５Ａの左右対向側壁２５ａの後方部が、枠状支持部材１３の垂直後壁１３ａの外壁面に摺接していることを特徴とする錠前の仮施錠・解錠装置。
【発明の詳細な説明】
【０００１】
【発明の属する技術分野】
本発明は、錠前の仮施錠・解錠装置に関する。
【０００２】
【従来の技術】
従来例としては、特開平１１−１４１２０７号公報に記載された実施例を挙げることができる。この実施例は、ラッチ錠を構成するラッチハブの改良に関するものであるが、ロッキングピースや押圧片が記載されている。
【０００３】
すなわち、ラッチ錠の錠箱内の下部にフロント側から錠箱の後壁まで延びる比較的長片状のロッキングピース（ラッチの仮施錠片）が内装され、該ロッキングピースの基端部は、錠箱の隅角部に横設軸架された横軸に軸支されている。そして、ロッキングピースの自由端部には、ラッチの内端部の係合部と係脱する係止部が突出形成されている。
【０００４】
上記構成に於いて、仮施錠時、ラッチは戸枠側のストライクに突出係合しているが、例えばプッシュ・プル形式のハンドルを操作することにより、錠箱内に突出している操作部材側の押圧片がフロント側に水平移動すると、長杆状ロッキングピースは、その中央部寄りの部位がフロント側へ水平移動する押圧片に押し下げられるため、前記横軸を支点に回動する。その結果、ロッキングピースの係止部はラッチの係合部から離れる。これによりラッチは仮錠止め状態から解放され、一旦所定角度まで水平回転した後、扉の動きに対応して錠箱内へと後退動する。
【０００５】
ところで、錠前の錠箱内には操作部材（ノブ、ハンドル）側の回動軸によって回動するラッチ駆動部材、該ラッチ駆動部材を復帰させる戻し機構、シリンダー、サムターン等のより駆動する駆動カム、該駆動カムの駆動力によって移動する連係片、該連係片を介して戸枠側の受け金具と係脱する本施錠片（鎌片又は／及びデッドボルト）など色々な部材が適宜に組み込まれる。
【０００６】
したがって、戸枠の受け金具と係脱する突出係合部材（例えば反転ラッチ）に対する仮施錠機構も、可能な限り部品点数を減らして合理的に組み合わせ、錠箱内の空間を有効的に活用することが望まれる。この点、上記構成の場合、ロッキングピース（部品点数）が一つなので、発明の課題に沿うものである。
【０００７】
しかしながら、錠前を構成するラッチハブを有するラッチ駆動部材の配設位置如何、プッシュ・プル式操作部材の操作性をより向上させるために押圧片を上下方向に移動させたい等の合理的理由がある場合には、仮施錠片を従来のように長杆状にするのが不合理な場合もある。そのような場合、部品点数を極力減らし、可能な限り、「二物品（作動片と仮施錠片）」で錠前の仮施錠・解錠装置を得ることが期待される。
【０００８】
【発明が解決しようとする課題】
本発明の第１の目的は、錠前を構成するラッチハブを有するラッチ駆動部材の配設位置如何、プッシュ・プル式操作部材の操作性（軽いタッチ性）をより向上させるために押圧片を上下方向に移動させたい等の合理的理由に基づき、内外の押圧片により作動する一つの作動片と、該作動片で移動（回動又は上下動）する仮施錠片の二物品により、錠前の仮施錠及びその解錠を達成することができること。第２の目的は、突出係合部材（例えば反転ラッチ）に対する係脱をスムース、かつ、確実に行うこと。第３の目的は、組み合わせが簡単であること。第４の目的は、錠ケースの内部空間を有効的に活用することができることである。
【０００９】
【課題を解決するための手段】
本発明の錠前の仮施錠・解錠装置は、錠ケース４の枠状支持部材１３内に進退動自在に組み込まれた突出係合部材２０の係合受部２２に係止部３０が係合するように錠ケース４内に固定軸２６を介して一つの仮施錠片２５を組み込み、一方、錠ケース４の窓１２から内部に突出する内外の押圧片２４を選択的に受ける受板５３及び前記仮施錠片２５の摺接部３２を押圧する押圧板５２とをそれぞれ有する押圧作動片５０を仮施錠片２５の後方に配設し、さらに、一つの復帰バネ４０の中央部４１を固定軸２６に巻装し、その一端部４２を仮施錠片２５の前方開口３３の開口縁３４ａに当接せさると共に、他端部４３を仮施錠片２５の後方開口３５を通過させて前記押圧作動片５０のバネ受部に圧接せさ、扉１の閉戸時に於いて、一つの押圧片２４が昇降動すると、該押圧片２４の動きに起因して上下動する押圧作動片５０と固定軸２６を支点に回動する仮施錠片が互いに協働して該仮施錠片の係止部３０が突出係合部材２０の係合受部２２に係脱することを特徴とする（第１実施例）。
【００１０】
また、本発明の錠前の仮施錠・解錠装置は、錠ケース４の枠状支持部材１３内に進退動自在に組み込まれた突出係合部材２０の係合受部２２に係止部３０が係合するように錠ケース４内に固定軸２６を介して一つの仮施錠片２５Ａを組み込み、一方、錠ケース４の窓１２から内部に突出する内外の押圧片２４を選択的に受ける受板５３及び前記仮施錠片２５Ａの摺接部３２Ａを押圧する押圧板５２とをそれぞれ有する押圧作動片５０Ａを仮施錠片２５Ａの後方に配設し、さらに、一つの復帰バネ４０の中央部４１を固定軸２６に巻装し、その一端部４２を仮施錠片２５Ａの前方開口３３の開口縁３４ａに当接せさると共に、他端部４３を仮施錠片２５Ａの後方開口３５を通過させて前記押圧作動片５０Ａのバネ受部に圧接せさ、扉１の閉戸時に於いて、一つの押圧片２４が昇降動すると、該押圧片２４の動きに起因して上下動する押圧作動片５０Ａと固定軸２６を基準に上下動する仮施錠片２５Ａが互いに協働して該仮施錠片の係止部３０が突出係合部材２０の係合受部２２に係脱することを特徴とする。
【００１１】
【発明の実施の形態】
図１乃至図６により本発明の実施形態に基づく一実施例を構成部材に区分けして説明する。
【００１２】
（１）発明の実施の環境
まず図１を参照にして発明の実施の環境について簡単に説明する。Ｘは錠前の一例としてのラッチ錠である（本発明の特定要件に関係のない部分は省略してある）。このラッチ錠Ｘは、玄関などの扉１に取付けられる。一方、Ｙは戸枠２に取付けられた受け金具で、この受け金具Ｙは錠ケースに進退動自在に組み込まれたラッチ用の係合孔３を有する。
【００１３】
（２）錠ケース
次に図２を参照にした扉のラッチ錠Ｘを構成する錠ケース（錠箱）を説明する。４は扉１の開放側端部の中央部に取付けられた錠ケースである。該錠ケース４もラッチ錠Ｘの一部を成す。５は錠ケース４の開口部側に固定されたフロントである。６はフロント５に対しては裏板或いは取り付け板であるが、ここではケース身の前壁とする。７はフロント５及び前壁６の下部寄りの部位に形成された突出係合部材としてのラッチ用出入り口である。８はケース身の後壁、９はケース身の下壁、１０はケース身の上壁、１１はケース身の幅広側壁である。なお、ケース蓋は省略してある。
【００１４】
１２は図示しない操作部材（例えばプッシュ・プル形式のハンドル）の一部或いは操作部材と連係する押圧片が余裕を持って入り込む縦長窓である。この窓１２は錠箱の両方の幅広側壁（ケース身とケース蓋）１１，１１に対向して形成されている。１３は出入り口に臨むようにケース身の幅広側壁１１に固定された枠状支持部材（例えばラッチ支持枠）である。このラッチ支持枠１３の少なくとも下壁部には、切欠、孔、開口などの仮施錠片の係止部用受入れ部１４が形成されている。
【００１５】
１５は幅広側壁１１，１１の下部の略中央部に形成された丸い形状の軸取付け孔で、この軸取付け孔１５に後述する横軸（固定軸）２６が設けられる。軸孔１５はラッチ支持枠１３の下壁部よりも下方で、かつ、前述した押圧片用窓１２との間に形成されている。
【００１６】
１６は錠箱の幅広側壁１１，１１に形成された押圧作動片用の被係合部である。被係合部１６は、本実施例では矩形状の小さなガイド孔であり、ラッチ支持枠１３の垂直後壁１３ａと錠ケース４の後壁８との間の略中間に形成されている。
錠ケース４には、本施錠用の各部材の孔（例えばダルマ用嵌合孔、本施錠片用軸孔、ガイド孔など）が形成されているが、本発明の特定要件に関係がないので省略する。
【００１７】
（３）突出係合部材…反転ラッチ
突出係合部材２０は、ラッチ支持枠或いは枠状の支持部材１３内に突出自在に設けられている。突出係合部材２０としては、例えば当業者の間で称されているラッチ、デッドボルト、ラッチとデッドボルトの両方の機能を持つ反転ラッチなどを列挙することができる。本実施例では反転ラッチを採用している。突出係合部材２０の具体的構成については、発明の特定要件ではないので割愛する。
【００１８】
しかして、２０ａは支持部材１３内のラッチ付勢ばね２１のバネ力によってフロント５から突出する外端部、一方、２０ｂは支持部材１３内に案内されて進退動する内端部である。２２は該内端部２０ｂの上下にそれぞれ形成された一対の仮施錠片用の係合受部である。
【００１９】
（４）仮施錠片
ここで「仮施錠片」とは、操作部材側の内外押圧片２４，２４が昇降動すると、これに起因して押圧作動片を介して突出係合部材２０を直接係止して仮施錠し、或いは仮施錠の状態を解除する部材を意味する。換言すれば、本実施例の仮施錠片２５は、操作部材側の内外押圧片２４，２４の少なくとも一方が昇降動すると、これに当接して上下動する押圧作用片と協働（回動又は上下動）し、かつ、一つの復帰バネのバネ力との関係でその係止部が突出係合部材２０の係合受部と係脱する部材を意味する。
【００２０】
（５）仮施錠片の具体的構成
仮施錠片２５は、図４に示す通り、二枚の逆Ｌ型対向片を一体的に結合し、親指の先端部部分と、上向きの人差し指の先端部分とを有する開口ブロック体」のイメージが彷彿されるように形成されている。
【００２１】
すなわち、３０，３０は左右の逆Ｌ型状対向側壁２５ａ，２５ａの先端部に折り曲げ部分を介して連設形成された係止部（いわば右手の親指の先端部に相当する部分）で、これらの係止部３０の一つは突出係合部材２０の係合受部２２と係脱する。係止部３０は左右勝手を考慮し、所要間隙を有して左右に１対突出形成されている。
【００２２】
３１，３１は左右の対向側壁２５ａ，２５ａの中央部（中央部寄りの部位も含む）にそれぞれ形成された左右１対の軸孔である。第１実施例の軸孔３１は真円である。
【００２３】
仮施錠片２５は、固定軸２６及びこれらの軸孔３１，３１を介して錠ケース４内に回動自在に軸支される。
【００２４】
３２，３２はは左右の対向側壁２５ａ，２５ａの後端部上方に折り曲げ部分を介して連設形成された左右一対の摺接部で、これらの摺接部３２，３２の上端面は、図１で示すように斜めにカットされ、後述する押圧作動片用の当り面３２ａ，３２ａとなっている。なお、本実施例では左右の垂直壁の摺接部３２，３２は一体的に結合している。
【００２５】
３３は左右の対向側壁２５ａ，２５ａの先端部側の折り曲げ部分３４の下方に形成された前方開口で、この前方開口３３から固定軸２６に復帰バネ４０の一端部が通り抜ける。一方、３５は左右の対向側壁２５ａ，２５ａの後端部側の筒抜け開口で、この後方開口３５から復帰バネ４０の他端部が通り抜け、該復帰バネの他端部は押圧作動片のバネ受部まで延びている。
【００２６】
（６）仮施錠片用の復帰バネ
図１及び図４で示すように、仮施錠片用復帰バネ４０は、そのリング状中央部４１が固定軸２６に巻装されている。そして、その一端部４２は前述したように仮施錠片２５の前方開口３３を通り抜けて折り曲げ部分３４の下方開口縁３４ａに当接し、一方、他端部４３は前述した後方開口３５を通り抜け、押圧作動片５０のバネ受部の下面に圧接している（図１）。
【００２７】
したがって、本実施例の仮施錠片用の復帰バネ４０は、その前後の両端部４２，４３を介して仮施錠片２５及び押圧作動片５０に圧接し、かつ、固定軸２６に巻装されたリング状中央部４１を基準にそのバネ力に抗して内側に変位可能である。
【００２８】
それ故に、仮施錠片用復帰バネ４０は、押圧作動片５０が一つの押圧片２４に押されてそのまま水平状態で下降すると、仮施錠片２５が、該押圧作動片の駆動力を介して固定軸３６を支点に係止解除の方向に回転するので、そのリング状中央部４１を基準に両端部が内側に変位する弾性変形機能を有する（図６の下方）。
【００２９】
一方、仮施錠片用復帰バネ４０は、逆に一つの押圧片２４が上方に移行すると、押圧作動片５０を持ち上げると共に、仮施錠片２５を係止方向へ押し戻すように外拡変位する弾性復帰機能を有する（図６の上方）。
【００３０】
（７）押圧作動片
錠箱内に上下動自在に設けられた押圧作動片について説明する。押圧作動片５０は、仮施錠片２５の後方に配設され、基本的には、図５で示すようにＬ型状のアーム板５１と、このアーム板の上端部に交差状態に固定された押圧板５２とから構成されている。
【００３１】
５３は操作部材側の対向する内外の押圧片２４，２４の両方を選択的に受ける一つの受板で、本実施例では、前記アーム板５１の下端水平部５１ａに突出して水平状態に設けられている。
【００３２】
受板５３は二つの機能を有する。一つは前述したように復帰バネ４０の他端部４３を受けるバネ端受機能であり、もう一つは、少なくとも錠箱の窓１２の一つにその係合小突起（第１の係合部）５４が係合して押圧作動片５０をスムースに案内する機能である。
【００３３】
一方、押圧板５２はアーム板５１の垂直部５１ｂの上端に多少オフセット状態で水平状態に固定されているが、この押圧板５２にも押圧作動片５０をスムースに案内する機能を持たせるために幅広水平部に錠箱の少なくとも一つ被係合部１６に係合する係合小突起（第２の係合部）５５が形成されている。なお、本実施例では、幅広押圧板５２の先端部を傾斜或いは弧状に形成し、仮施錠片２５の傾斜状摺接部３２，３２と当接する押圧部５２ａとなっている。
【００３４】
（８）作用…仮施錠
図６を参照にしてラッチの仮施錠について説明する。扉を閉めた時、ラッチ２０はラッチ付勢バネ２１のバネ力によりフロント５から突出し、受け金具Ｙの係合孔３に係合する。この時、図示しない操作部材（例えばプッシュ・プル形式のハンドル）に連係する押圧片２４，２４が、図６の上方に示すように窓１２内の上昇位置へと移行した場合、押圧作動片５０は復帰バネ４０の弾性復帰機能により、矢印で示すように上方に持ち上げられる。それと同時に仮施錠片２５も復帰バネ４０の弾性復帰機能により、その係止部３０が突出係合部材２０の係合受部２２に係合する方向（時計方向）へと回動する。この場合に於いて、押圧作動片５０は第１及び第２係合小突起５４，５５に案内されながら真っ直ぐに上昇するの対し、仮施錠片２５は、押圧作動片５０の上昇するのに対応して固定軸２６を支点に係合方向へと回動する。
【００３５】
操作部材側の押圧片２４が停止すると押圧作動片５０も停止し、仮施錠片２５の係止部３０がラッチ２０の係合受部２２に完全に係合する。そこで、本実施例のラッチ２０は、一旦水平回転してから後退する反転ラッチであることから、ラッチ２０の係合受部２２に仮施錠片２５の係止部３０の一つが係合すると、仮施錠の状態となる。
【００３６】
（９）作用…仮施錠の解錠
図６の下方に示すように押圧片２４，２４の一つ（例えば左側）が、解錠用操作部材の操作によって窓１２内の下降位置へと移行した場合には、押圧作動片５０は受板５３を介して下降する。押圧作動片５０が下降すると、仮施錠片２５はその上方の摺接部３２，３２が押圧作動片５０の押圧部５２ａに押されることになるから、固定軸２６を支点に解錠方向（反時計方向）へと回転する。この時復帰バネ４０は、押圧作動片５０が下降すると共に仮施錠片２５が解錠方向へと回転することから、そのバネ力に抗して内側に弾性変形する。この場合に於いても、押圧作動片５０は錠箱に案内されて真直ぐに下降する。そして、仮施錠片２５の係止部３０がラッチ２０の係合受部２２から離れると、仮施錠状態から解錠状態となる。
【００３７】
【実施例】
この欄では、本実施の形態（第１実施例）と異なる実施例について説明する。
なお、実施例の説明にあたって、第１実施例と同一又は同様（機能が同一）の部分には、同一又は同様の符号を付し、重複する説明を省略する。
【００３８】
図７及び図８に示す第２実施例に於いて、前記第１実施例と主に異なる点は、仮施錠片２５Ａが押圧作動片５０Ａの動き対応して上下動し、これにより突出係合部材２０の係合受部２２と係脱することである。
【００３９】
すなわち、第２実施例の錠前Ｘ１は、（１）まず、断面逆Ｌ字型状の一つの仮施錠片２５Ａは、錠ケース４の枠状支持部材１３内に進退動自在に組み込まれた突出係合部材２０の係合受部２２にその係止部３０Ａが係合するように錠ケース４内に固定軸２６及び垂直案内部（垂直案内長孔）３１Ａを介して上下動自在に組み込まれている点が相違する。つまり、第１実施例では固定軸２６用の孔が真円の軸孔３１であるのに対し、第２実施例のそれは垂直案内長孔３１Ａとなっている。
【００４０】
（２）次に、仮施錠片２５Ａの左右対向側壁２５ａの後方部から後方折り曲げ部も含め、上方の摺接部３２Ａがラッチ枠１３の垂直後壁１３ａの外壁面に摺接している。したがって、仮施錠片２５Ａは上下動する際に固定軸２６、垂直案内部（垂直案内長孔）３１Ａ及び左右対向側壁２５ａの後方部に案内される。
【００４１】
（３）さらに、仮施錠片２５Ａの上方の摺接部３２Ａは円弧状に形成され、かつ、押圧作動片５０Ａの押圧板５２の下面に当接している。したがって、押圧作動片５０Ａが内外の押圧片２４，２４のいずれか一つの下降に起因して下降すると、仮施錠片２５Ａは押圧作動片５０Ａによって復帰バネ４０の弾発力に抗してそのまま押し下げられる。
【００４２】
（４）上記構成に於いては、図７で示すように、扉１の閉戸時に於いて、錠ケース４の窓１２から内部に突出する一つの押圧片２４が昇降動すると、該押圧片２４の動きに起因して上下動する押圧作動片５０Ａと固定軸２６を基準にして上下動する仮施錠片２５Ａが互いに協働して該仮施錠片の係止部３０Ａが突出係合部材２０の係合受部２２に係脱する。したがって、第２実施例においても第１実施例と同様の効果を得ることができる。
【００４３】
【発明の効果】
以上の説明から明らかなように、本発明にあっては、次に列挙するような効果がある。
（１）内外の押圧片により作動する一つの作動片と、該作動片で移動する仮施錠片の二物品により、錠前の仮施錠及びその解錠を達成することができる。
（２）操作部材側の内外の押圧片を上下動させることができるので、プッシュ・プル式操作部材の操作性（軽いタッチ性）をより向上させることができる。
（３）一つの復帰バネを用いているので、組み合わせが簡単である。
（４）突出係合部材（例えば反転ラッチ）に対する係脱をスムース、かつ、確実に行うことができる。
（５）施錠片を錠箱の下部に組み込んだ実施例の場合には、錠箱の内部空間を有効的に活用することができる。
【図面の簡単な説明】
図１乃至図６は本発明の第１実施例を示す各概略説明図。図７及び図８は本発明の第２実施例を示す各概略説明図。
【図１】本発明の第１実施例を示す蓋板等を省略した内部構造を示す概略説明図。
【図２】蓋板等を省略した錠箱の概略説明図。
【図３】主要部材の組み合わせ状態を示す横概略断面説明図。
【図４】主たる部材（仮施錠片、固定軸、復帰バネ）を示す分解斜視図。
【図５】主たる部材（押圧作動片）を示す斜視図。
【図６】仮施錠状態と解錠状態との関係を示す説明図。
【図７】本発明の第２実施例を示す図６と同様の図。
【図８】第２実施例主たる部材（仮施錠片）を示す斜視図。
【符号の説明】
Ｘ，Ｘ１…錠前、Ｙ…受け金具、１…扉、２…戸枠、３…係合孔、４…錠ケース４…フロント、１２…窓、１３…支持部材、２０…突出係合部材、２１…ラッチ付勢ばね、２２…係合受部、２４…内外の押圧片、２５，２５Ａ…仮施錠片、２６…固定軸、３０…係止部、３１…軸孔、３１Ａ…垂直案内部、３２，３２Ａ…摺接部、３３…前方開口、３４…折り曲げ部分、３５…後方開口、４０…復帰バネ、４１…復帰バネのリング状中央部、４２…復帰バネの一端部、４３…復帰バネの他端部、５０，５０Ａ…作動押圧片、５１…アーム板、５２…押圧板、５３…受板、５４，５５…係合部。
【図１】
2004218356.tif 000003
【図２】
2004218356.tif 000004
【図３】
2004218356.tif 000005
【図４】
2004218356.tif 000006
【図５】
2004218356.tif 000007
【図６】
2004218356.tif 000008
【図７】
2004218356.tif 000009
【図８】
2004218356.tif 000010